(57)【要約】  本発明は、タッチデバイスにおいてコンタクト情報と紐付けられたトレイアイテムを介してコンタクト情報が必要なアプリケーションをより直観的で且つ効果的に運用できるようにするタッチデバイスのアプリケーション運用方法及び装置に係り、このような本発明は、タッチデバイスのアプリケーション運用方法において、特定の実行画面の上にコンタクト情報を含む多数のトレイアイテムからなるコンタクトトレイを表示する過程と、前記コンタクトトレイの特定のトレイアイテムを用いるインタラクションが入力される過程と、前記トレイアイテムのコンタクト情報に基づいて、アプリケーションの実行画面を構成する過程と、前記構成された実行画面を基に、前記アプリケーションを運用する過程と、を含む。
2013515996.tif 000002
【特許請求の範囲】
【請求項１】
タッチデバイスのプロセスにおいて運用可能なアプリケーション運用方法において、
特定の実行画面の上にコンタクト情報基盤の多数のトレイアイテムからなるコンタクトトレイを表示する過程と、
前記コンタクトトレイの特定のトレイアイテムを用いるインタラクションが入力される過程と、
前記トレイアイテムのコンタクト情報に基づいて、アプリケーションの実行画面を構成する過程と、
前記構成された実行画面を基に前記アプリケーションを運用する過程と、
を含むことを特徴とするタッチデバイスのアプリケーション運用方法。
【請求項２】
前記表示する過程は、
状態情報表示領域中のトレイインジケーター領域を介して前記コンタクトトレイ呼び出しインタラクションが入力される過程と、
前記呼び出しインタラクションに対応して、前記コンタクトリストを前記特定の実行画面の上にオーバーレイ表示する過程と、
を含むことを特徴とする請求項１に記載のタッチデバイスのアプリケーション運用方法。
【請求項３】
前記インタラクションが入力される過程は、
前記特定の実行画面または前記コンタクトトレイの上においてインタラクションの入力を感知する過程と、
前記インタラクション入力を感知する際に、前記インタラクションの種類を判断する過程と、
前記インタラクションが前記コンタクトトレイ内において行われるインタラクション入力であれば、当該インタラクションに対応して、コンタクトトレイ内の前記多数のトレイアイテムに対するスクロールを制御する過程と、
を含むことを特徴とする請求項１に記載のタッチデバイスのアプリケーション運用方法。
【請求項４】
前記制御する過程は、
前記多数のトレイアイテムのうち固定領域のトレイアイテムは固定表示し、スクロール領域にあるトレイアイテムに対するスクロールを制御する過程を含むことを特徴とする請求項３に記載のタッチデバイスのアプリケーション運用方法。
【請求項５】
前記インタラクションが前記コンタクトトレイ内において行われるインタラクション入力であれば、当該インタラクションに対応して選択された特定のトレイアイテムに関するコンタクト情報をポップアップウィンドウを介して提供する過程をさらに含むことを特徴とする請求項３に記載のタッチデバイスのアプリケーション運用方法。
【請求項６】
前記実行画面を構成する過程は、
前記特定の実行画面のコンテンツ選択後に、前記コンタクトリストのトレイアイテムに移動するインタラクションが入力される過程と、
前記インタラクションに対応して選択された前記コンテンツと、前記インタラクションが移動されて位置するトレイアイテムのコンタクト情報との紐付けによってアプリケーションの実行画面を構成する過程と、
を含むことを特徴とする請求項３に記載のタッチデバイスのアプリケーション運用方法。
【請求項７】
前記構成する過程は、
前記インタラクション入力に対応して実行されるべきアプリケーションが設定されているか否かを判断する過程と、
設定されたアプリケーションがあれば、設定されたアプリケーションを実行する過程と、
前記アプリケーションを実行する際に、前記トレイアイテムに対応するコンタクト情報と前記コンテンツとの組み合わせを決定する過程と、
決定された組み合わせに応じて前記アプリケーションによる実行画面を構成する過程と、
を含むことを特徴とする請求項６に記載のタッチデバイスのアプリケーション運用方法。
【請求項８】
前記実行画面を構成する過程は、
前記トレイアイテムのコンタクト情報に基づいてあて先を設定し、前記コンテンツに基づいて内容を構成する過程を含むことを特徴とする請求項７に記載のタッチデバイスのアプリケーション運用方法。
【請求項９】
前記設定されたアプリケーションがなければ、実行可能なアプリケーションが登録されたポップアップウィンドウを出力する過程をさらに含むことを特徴とする請求項７に記載のタッチデバイスのアプリケーション運用方法。
【請求項１０】
前記実行画面を構成する過程は、
前記コンタクトトレイのトレイアイテムの選択後に前記実行画面に移動するインタラクションが入力される過程と、
前記トレイアイテムに対応するコンタクト情報を取り出す過程と、
前記インタラクションが入力された領域のタイプを分析する過程と、
前記領域のタイプに対応して取り出されたコンタクト情報を入力して表示する過程と、
を含むことを特徴とする請求項３に記載のタッチデバイスのアプリケーション運用方法。
【請求項１１】
前記実行画面に移動されたインタラクションが位置する領域がコンタクト情報基盤の入力が可能な領域であるか否かを判断する過程と、
コンタクト情報基盤の入力が不可能な領域である場合に、前記トレイアイテムに対応するフローティングアイテムをコンタクト情報入力不可を指示するフローティングアイテムとして表示する過程と、
前記インタラクションが前記入力が不可能な領域から入力が可能な領域へと移動する場合に、前記トレイアイテムに対応するフローティングアイテムをコンタクト情報入力可能を指示するフローティングアイテムとして表示する過程と、
をさらに含むことを特徴とする請求項１０に記載のタッチデバイスのアプリケーション運用方法。
【請求項１２】
タッチデバイスにおいて、
アプリケーションの実行画面と前記実行画面の上にコンタクト情報基盤のトレイアイテムからなるコンタクトトレイを表示し、前記コンタクトトレイのトレイアイテムを用いるインタラクションが入力される表示部と、
前記インタラクション入力に対応して、前記トレイアイテムのコンタクト情報に基づいてアプリケーションの実行画面を構成し、前記構成された実行画面を基にアプリケーション運用を制御する制御部と、
を備えることを特徴とするタッチデバイス。
【請求項１３】
前記コンタクトトレイは、
タッチデバイスのユーザーに対応するコンタクト情報と紐付けられたトレイアイテムが提供される第１アイテム領域と、
前記ユーザーによって登録されたそれぞれのコンタクト情報と紐付けられた多数のトレイアイテムが提供される第２アイテム領域と、
前記コンタクトトレイのトレイアイテムの編集のためのアイテムが提供される第３アイテム領域と、
を含むことを特徴とする請求項１２に記載のタッチデバイス。
【請求項１４】
前記第１アイテム領域は、トレイアイテムのスクロール制御が行われない固定領域であり、
前記第２アイテム領域は、インタラクションによるトレイアイテムのスクロール制御が行われるスクロール領域であることを特徴とする請求項１３に記載のタッチデバイス。
【請求項１５】
前記制御部は、
前記実行画面のコンテンツ選択後に前記コンタクトリストのトレイアイテムに移動するインタラクション入力を感知する際に、選択された前記コンテンツと前記インタラクションが移動されて位置するトレイアイテムのコンタクト情報との紐付けによってアプリケーションの実行画面を構成し、
前記コンタクトトレイのトレイアイテム選択後に前記実行画面に移動するインタラクション入力を感知する際に、選択された前記トレイアイテムのコンタクト情報に基づいてアプリケーションの実行画面を構成することを特徴とする請求項１２に記載のタッチデバイス。
【発明の詳細な説明】
【技術分野】
【０００１】
本発明は、タッチ基盤の入力インタフェース（ｔｏｕｃｈ−ｂａｓｅｄ ｉｎｐｕｔｉｎｔｅｒｆａｃｅ）を有するタッチデバイスに係り、特に、本発明は、コンタクト情報（ｃｏｎｔａｃｔ ｉｎｆｏｒｍａｔｉｏｎ）と紐付けられたトレイアイテムを介してコンタクト情報が必要な各種のアプリケーション及び機能に容易にアクセスできるようにするタッチデバイスの機能遂行方法及び装置に関する。
【背景技術】
【０００２】
最近、情報通信技術と半導体技術などの眩しい発展とあいまって、各種の携帯端末の普及と利用が急速度に増加しつつある。特に、最近の携帯端末は、各自の伝統的な固有領域に留まることなく、他の端末の領域まで網羅するモバイル融合（ｍｏｂｉｌｅ ｃｏｎｖｅｒｇｅｎｃｅ）段階に至っている。代表的に、移動通信端末の場合には、音声通話やメッセージ送受信などの通常の通信機能に加えて、テレビ（Ｔｅｌｅｖｉｓｉｏｎ）視聴機能（例えば、ＤＭＢ（Ｄｉｇｉｔａｌ Ｍｕｌｔｉｍｅｄｉａ Ｂｒｏａｄｃａｓｔｉｎｇ）やＤＶＢ（Ｄｉｇｉｔａｌ Ｖｉｄｅｏ Ｂｒｏａｄｃａｓｔｉｎｇ）などの移動放送）、音楽再生機能（例えば、ＭＰ３（ＭＰＥＧ Ａｕｄｉｏ Ｌａｙｅｒ−３））、写真撮影機能、インターネット接続機能、辞書検索機能など各種のマルチメディア機能が付加されているのが現状である。
【０００３】
一方、最近には、携帯端末の動作状態を表示し得る表示部と、データなどを入力し得る入力部の機能を同時に行うことのできるタッチスクリーン（ｔｏｕｃｈ−ｓｃｒｅｅｎ）を備えるタッチデバイスが増加している傾向にある。この種のタッチデバイスは、通常、フルタッチスクリーン（ｆｕｌｌ ｔｏｕｃｈ−ｓｃｒｅｅｎ）タイプで提供されている。そして、タッチデバイスの場合に、基本的に、タッチ基盤の入力インタフェースを用いたタッチ入力によってタッチデバイスの使用及び制御が可能である。
【０００４】
最近には、タッチデバイスのデザインと便利なユーザーインタフェース（ＵＩ：Ｕｓｅｒ Ｉｎｔｅｒｆａｃｅ）への関心が高まりつつある。例えば、ユーザーが容易且つ便利にタッチデバイスの機能を利用できるユーザー便宜のためのユーザーインタフェース環境の実現が話題として取り上げられている。したがって、ユーザーのタッチデバイスの利用による便宜性向上及び新たな付加機能の要求による新たな機能の実現が多角度でなされているのが現状である。
【発明の概要】
【発明が解決しようとする課題】
【０００５】
本発明の目的は、タッチデバイスにおいてユーザー便宜のための付加機能を提供することにある。
【０００６】
本発明の他の目的は、コンタクト情報基盤のトレイアイテムからなるコンタクトトレイをアプリケーション実行画面の上に表示し得るタッチデバイス及びその制御方法を提供することにある。
【０００７】
本発明のさらに他の目的は、コンタクトトレイのトレイアイテムを介してコンタクト情報が必要な各種のアプリケーション及び機能を容易に運用し得る最適なインタフェース環境を実現することにある。
【０００８】
本発明のさらに他の目的は、タッチデバイスにおいてコンタクト情報と紐付けられたアプリケーションまたは機能遂行のための最適な環境を実現してタッチデバイスの使用性及び便宜性を向上させることにある。
【課題を解決するための手段】
【０００９】
上記の目的を達成するための本発明の実施形態に係る方法は、タッチデバイスのアプリケーション運用方法において、特定の実行画面の上にコンタクト情報を含む多数のトレイアイテムからなるコンタクトトレイを表示する過程と、前記コンタクトトレイの特定のトレイアイテムを用いるインタラクションが入力される過程と、前記トレイアイテムのコンタクト情報に基づいて、アプリケーションの実行画面を構成する過程と、前記構成された実行画面を基に、前記アプリケーションを運用する過程と、を含む。
【００１０】
上記の目的を達成するために、本発明の実施形態は、前記方法をプロセッサーにおいて実行するためのプログラムを記録したコンピュータにて読み取り可能な記録媒体を含む。
【００１１】
上記の目的を達成するための本発明の実施形態に係る装置は、タッチデバイスにおいて、アプリケーションの実行画面と前記実行画面の上にコンタクト情報基盤のトレイアイテムからなるコンタクトトレイを表示し、前記コンタクトトレイのトレイアイテムを用いるインタラクションが入力される表示部と、前記インタラクションを入力に対応して、前記トレイアイテムのコンタクト情報に基づいてアプリケーションの実行画面を構成し、前記構成された実行画面を基にアプリケーション運用を制御する制御部と、を備える。
【００１２】
本発明の実施形態によれば、前記コンタクトトレイは、第１アイテム領域と第２アイテム領域とを含み、前記第１アイテム領域は、タッチデバイスのユーザーに対応するコンタクト情報と紐付けられたトレイアイテムを提供し、スクロール制御がサポートされない固定領域を表示し、前記第２アイテム領域は、前記ユーザーによって登録されたそれぞれのコンタクト情報と紐付けられた多数のトレイアイテムを提供し、スクロール制御がサポートされるスクロール領域を表示することを特徴とする。
【００１３】
上述した内容は、当該分野において通常の知識を持った者に後述する本発明の具体的な説明からより一層容易に理解せしめるために本発明の特徴及び技術的長所をやや広く略述したものである。これらの特徴及び長所に加えて、本発明の請求範囲の主題を形成する本発明のさらなる特徴及び長所が後述する本発明の具体的な説明から容易に理解できるであろう。
【発明の効果】
【００１４】
以上述べたように、本発明において提案するタッチ基盤の入力インタフェースを有するタッチデバイスの機能の遂行方法及び装置によれば、コンタクト情報と紐付けられたトレイアイテムを介してコンタクト情報が必要な各種のアプリケーション及び機能に容易にアクセスし得るタッチデバイス及びその運用方法を提供する。このような本発明は、タッチ基盤の入力インタフェースを有するあらゆるデバイスにおいて実現され得る。
【００１５】
そして、本発明によれば、タッチデバイスにおいて実行されるあらゆる実行画面の上にコンタクト情報基盤のトレイアイテムからなるコンタクトトレイを表示することができる。これにより、コンタクトトレイのトレイアイテムを介してコンタクト情報が必要な各種のアプリケーション及び機能をより容易に且つ直観的に運用し得る最適なユーザーインタフェース環境を提供することができる。このような本発明は、タッチデバイスにおいてコンタクト情報と紐付けられたアプリケーションを実行する際に、それを直観的で且つ効果的に運用可能な環境を実現することにより、タッチデバイスの使用性、便宜性及び競争力を向上させるのに寄与することができる。
【図面の簡単な説明】
【００１６】
【図１】本発明の実施形態に係るタッチデバイスの構成を概略的に示す図である。
【図２】本発明の実施形態に係るコンタクトトレイが提供される画面例を示す図である。
【図３】本発明の実施形態に係るコンタクトトレイが提供される画面例を示す図である。
【図４】本発明の実施形態に係るタッチデバイスにおいて、コンタクトトレイが実行画面の上に提供される動作例を示す図である。
【図５】本発明の実施形態に係るタッチデバイスにおいて、コンタクトトレイのスクロール制御の動作例を示す図である。
【図６】本発明の実施形態に係るコンタクトトレイを用いた運用例を示す図である。
【図７】本発明の実施形態に係るタッチデバイスにおいて、トレイアイテムのコンタクト情報と紐付けられたアプリケーションの運用動作例を示す図である。
【図８】本発明の実施形態に係るタッチデバイスにおいて、トレイアイテムのコンタクト情報と紐付けられたアプリケーションの運用動作例を示す図である。
【図９】本発明の実施形態に係るタッチデバイスにおいて、トレイアイテムのコンタクト情報と紐付けられたアプリケーションの運用動作例を示す図である。
【図１０】本発明の実施形態に係るタッチデバイスにおいて、トレイアイテムのコンタクト情報と紐付けられたアプリケーションの運用動作例を示す図である。
【図１１】本発明の実施形態に係るタッチデバイスにおいて、トレイアイテムのコンタクト情報と紐付けられたアプリケーションの運用動作例を示す図である。
【図１２】本発明の実施形態に係るタッチデバイスにおいて、トレイアイテムのコンタクト情報と紐付けられたアプリケーションの運用動作例を示す図である。
【図１３】本発明の実施形態に係るイベントの発生をアラームし、前記イベントをコンタクトトレイを介して追跡して提供する動作例を示す図である。
【図１４】本発明の実施形態に係るタッチデバイスにおいて、コンタクト情報と紐付けられたトレイアイテムを用いたアプリケーションの運用方法を示すフローチャートである。
【図１５】図１４に示すトレイアイテムのコンタクト情報基盤のアプリケーション運用方法を示すフローチャートである。
【図１６】図１４に示すトレイアイテムのコンタクト情報基盤のアプリケーション運用方法を示すフローチャートである。
【発明を実施するための形態】
【００１７】
以下、添付図面に基づき、本発明の好適な実施形態について詳述する。このとき、図中、同じ構成要素にはできる限り同じ符号を付していることに留意すべきである。また、本発明の要旨を曖昧にする虞のある公知機能及び構成についての詳細な説明は省略する。すなわち、下記の説明においては、本発明の実施形態に係る動作を理解するのに必要な部分のみが説明され、それ以外の部分の説明は本発明の要旨を曖昧にしないように省略されることに留意しなければならない。
【００１８】
提案する本発明は、タッチ基盤の入力インタフェースを有するタッチデバイスにおいて、コンタクト情報と紐付けられたアプリケーションを運用し得る方法及び装置に関する。本発明の実施形態によれば、コンタクト情報に基づいて生成される少なくとも一つのトレイアイテムからなるコンタクトトレイを提供する。本発明において、前記コンタクトトレイは、タッチデバイスにおいて運用されるあらゆる実行画面の上に表示され得る。このような本発明の実施形態によれば、コンタクト情報と紐付けられたトレイアイテムを介してコンタクト情報が必要な各種のアプリケーション及び機能に容易にアクセスしてこれを運用し得る最適なユーザーインタフェース（ＵＩ：Ｕｓｅｒ Ｉｎｔｅｒｆａｃｅ）を提供する。
【００１９】
以下、添付図面に基づき、本発明の実施形態に係るタッチデバイスの構成及びその動作の制御方法について説明する。しかしながら、本発明の実施形態に係るタッチデバイスの構成及びその制御方法が後述する内容に何ら制限または限定されるものではないため、下記の実施形態に基づいて種々の実施形態に適用され得るということに留意しなければならない。
【００２０】
図１は、本発明の実施形態に係るタッチデバイスの構成を概略的に示す図である。
【００２１】
前記図１を参照すると、前記タッチデバイスは、通信モジュール１１０と、表示部１２０と、格納部１３０と、制御部１４０と、を備えてなる。これらに加えて、前記タッチデバイスは、マイク（ｍｉｃｒｏｐｈｏｎｅ）とスピーカ（ｓｐｅａｋｅｒ）を有するオーディオ処理部、デジタル放送（例えば、ＤＭＢ（Ｄｉｇｉｔａｌ Ｍｕｌｔｉｍｅｄｉａ Ｂｒｏａｄｃａｓｔｉｎｇ）やＤＶＢ（Ｄｉｇｉｔａｌ Ｖｉｄｅｏ Ｂｒｏａｄｃａｓｔｉｎｇ）などの移動放送）の受信と再生を行うためのデジタル放送モジュール、写真／動画撮影機能のためのカメラモジュール、ブルートゥース（ＢＬＵＥＴＯＯＴＨ）のように短距離通信機能を行うための短距離通信モジュール、タッチ基盤の入力のためのタッチパッド、及び物理的なキー入力のための機能キーなどの構成要素をさらに備えていてもよいが、請求された発明の不明確性を防ぐために、これらに関する説明及び図示は省略する。
【００２２】
前記通信モジュール１１０とは、移動通信基盤の移動通信サービス及び無線ＬＡＮ（ＷＬＡＮ；Ｗｉｒｅｌｅｓｓ Ｌｏｃａｌ Ａｒｅａ Ｎｅｔｗｏｒｋ）基盤のインターネットサービス（例えば、Ｗｉ−Ｆｉサービス）などのサービスをサポートするためのモジュールのことをいう。すなわち、前記通信モジュール１１０とは、移動通信機能を行うための無線周波数（ＲＦ；Ｒａｄｉｏ Ｆｒｅｑｕｅｎｃｙ）モジュールと無線ＬＡＮ基盤のインターネット通信機能を行うための無線ＬＡＮモジュールのうち、前記タッチデバイスがサポートする通信機能に対応するいずれか一つの通信モジュールのことをいう。また、前記図１には一つの通信モジュール１１０が示してあるが、前記タッチデバイスは、移動通信サービスのための無線周波数モジュールと、インターネットサービスのための無線ＬＡＮモジュールを両方とも備えていてもよい。さらに、前記タッチデバイスは、前記無線周波数モジュールを介してネットワークと通信して前記移動通信サービス及びインターネットサービスをサポートしてもよい。
【００２３】
前記表示部１２０は、タッチデバイスの待ち受け画面（ｈｏｍｅ ｓｃｒｅｅｎ）をはじめとして、タッチデバイスがサポートするアプリケーションの実行画面を提供する。例えば、メッセージ機能、電子メール機能、インターネット機能、マルチメディア機能、検索機能、通信機能、電子ブック読み込み機能（例えば、ｅ−ｂｏｏｋ）、写真／動画撮影機能、写真／動画再生機能、ＴＶ再生機能（例えば、ＤＭＢやＤＶＢなどの移動放送再生機能）、音楽再生機能（例えば、ＭＰ３再生機能）、ウィジェット機能、メモ機能、ゲーム機能などの実行画面を提供する。前記表示部１２０には、液晶表示装置（ＬＣＤ；Ｌｉｑｕｉｄ Ｃｒｙｓｔａｌ Ｄｉｓｐｌａｙ）が用いられることが一般的であるが、有機発光ダイオード（ＯＬＥＤ；Ｏｒｇａｎｉｃ Ｌｉｇｈｔ Ｅｍｉｔｔｉｎｇ Ｄｉｏｄｅ）、能動型ＯＬＥＤ（ＡＭＯＬＥＤ；Ａｃｔｉｖｅ Ｍａｔｒｉｘ ＯＬＥＤ）などの他の表示装置が用いられても良い。前記表示部１２０は、上述したような実行画面を表示するときに、前記タッチデバイスの回転方向（または、置かれた方向）によって横モードまたは縦モードを提供することができる。
【００２４】
本発明の実施形態において、前記表示部１２０は、タッチ基盤の入力をサポートするインタフェースを備えていてもよい。例えば、前記表示部１２０は、タッチスクリーンの構成によってタッチ基盤のユーザーインタラクション入力をサポートし、前記ユーザーインタラクション入力による入力信号を生成して制御部１４０に受け渡すことができる。そして、本発明の実施形態において、前記表示部１２０は、上述したような実行画面の上にコンタクト情報に基づいて形成されたトレイアイテムを有するコンタクトトレイを表示することができる。さらに、表示部１２０は、前記コンタクトトレイを３つの領域に画成して表示することができ、コンタクトトレイにおいてタッチ基盤で入力されるユーザーインタラクションにより制御されるエフェクトを表示することができる。本発明の前記表示部１２０に表示されるコンタクトトレイ及びコンタクトトレイを用いたユーザーインタラクションにより制御される画面の構成について、後述する動作例を挙げて説明する。
【００２５】
前記格納部１３０は、前記タッチデバイスにおいて実行されて処理される各種のプログラムとデータを格納し、一つ以上の揮発性メモリ素子と非揮発性メモリ素子とから構成されてもよい。例えば、前記格納部１３０は、前記タッチデバイスの運営体制、前記表示部１２０の表示制御動作と関わるプログラムとデータ、前記表示部１２０を用いた入力制御動作と関わるプログラムとデータ、コンタクトトレイ運用と関わるプログラムとデータ、コンタクトトレイのトレイアイテムに対応するコンタクト情報と紐付けられたアプリケーション及び機能運用と関わるプログラムとデータなどを持続的にまたは一時的に格納することができる。特に、前記格納部１３０は、フォンブックメニュー（ｐｈｏｎｅ−ｂｏｏｋ ｍｅｎｕ）によって登録された少なくとも一つのコンタクトに関するコンタクト情報を格納する。また、前記格納部１３０は、様々なサービスの利用により送受信されるメッセージ及びデータを格納することができる。例えば、前記格納部１３０は、ソーシャルネットワークサービス（ＳＮＳ；Ｓｏｃｉａｌ Ｎｅｔｗｏｒｋ Ｓｅｒｖｉｃｅ）（例えば、ツイーター、フェースブックなど）、メッセージサービス（例えば、ＳＭＳ、ＭＭＳなど）、電子メールサービス及びメッセンジャー並びに他の類似する種類のサービスと紐付けられたメッセージ及びデータを格納することができる。
【００２６】
前記制御部１４０は、前記タッチデバイスの全般的な動作を制御する。前記制御部１４０は、本発明のコンタクトトレイ構成、コンタクトトレイ表示及びその運用による動作を制御することができる。例えば、制御部１４０は、コンタクト情報に基づいて生成されるトレイアイテムからなるコンタクトトレイを構成することができる。そして、制御部１４０は、タッチデバイスにおいて運用された全ての実行画面においてコンタクトトレイをユーザーインタラクションにより表示したり、実行画面の上にオーバーレイ表示されたコンタクトトレイをユーザーインタラクションにより隠したりすることができる。また、制御部１４０は、コンタクトトレイのトレイアイテムを介してコンタクト情報とコンタクト情報が必要な各種のアプリケーションを紐付けてその運用を制御することができる。このような制御部１４０の制御動作について、後述するタッチデバイスの動作例及びその制御方法において説明する。
【００２７】
加えて、前記制御部１４０は、前記タッチデバイスの通常の機能と関わる各種の制御動作を行う。例えば、前記制御部１４０は、アプリケーションの実行時にその運用及びデータ表示を制御することができる。また、制御部１４０は、タッチ基盤の入力インタフェースがサポートする様々な入力方式に対応する入力信号を受信し、それによる機能の運用を制御することができる。さらに、制御部１４０は、無線ＬＡＮ基盤または移動通信基盤でサポートされるインターネットサービス（例えば、ＳＮＳなど）の利用によるデータ送受信（例えば、メッセージ送受信など）を処理し、送受信されたデータを追跡してグループ化し、これをポップアップにて出力するなどの付加機能の運用を制御することができる。
【００２８】
一方、前記図１に示す本発明のタッチデバイスは、タッチ基盤の入力インタフェースを備えるバータイプ、フォルダタイプ、スライドタイプ、スイングタイプ、フリップタイプなどあらゆるタイプの携帯端末に適用され得る。そして、本発明のタッチデバイスは、あらゆる情報通信機器、マルチメディア機器及びそれに対する応用機器を含むことができる。例えば、前記タッチデバイスは、様々な通信システムに対応する各通信プロトコル（ｃｏｍｍｕｎｉｃａｔｉｏｎ ｐｒｏｔｏｃｏｌｓ）に基づいて動作する移動通信端末（ｍｏｂｉｌｅ ｃｏｍｍｕｎｉｃａｔｉｏｎ ｔｅｒｍｉｎａｌ）をはじめとして、タブレットＰＣ（Ｐｅｒｓｏｎａｌ Ｃｏｍｐｕｔｅｒ）、ＰＭＰ（Ｐｏｒｔａｂｌｅ Ｍｕｌｔｉｍｅｄｉａ Ｐｌａｙｅｒ）、デジタル放送プレーヤー、ＰＤＡ（Ｐｅｒｓｏｎａｌ Ｄｉｇｉｔａｌ Ａｓｓｉｓｔａｎｔ）、ミュージックプレーヤー（例えば、ＭＰ３プレーヤー）、携帯ゲーム端末、ネットブック及びスマートフォン（Ｓｍａｒｔ Ｐｈｏｎｅ）などのデバイスを含むことができる。なお、本発明のコンタクトリストの提供及びその運用方法は、テレビ（Ｔｅｌｅｖｉｓｉｏｎ）、ＬＦＤ（Ｌａｒｇｅ Ｆｏｒｍａｔ Ｄｉｓｐｌａｙ）、ＤＳ（Ｄｉｇｉｔａｌ Ｓｉｇｎａｇｅ）、メディアポール（ｍｅｄｉａ ｐｏｌｅ）及びノート型パソコンなどのデバイスに適用されて運用されてもよい。
【００２９】
図２及び図３は、本発明の実施形態に係るタッチデバイスにおいて、コンタクトトレイが提供される画面例を示す図である。
【００３０】
前記図２及び図３を参照すると、本発明の実施形態に係る表示部１２０は、大きく、状態情報領域２００と実行画面領域３００とに分けられる。
【００３１】
本発明の実施形態において、前記状態情報領域２００とは、タッチデバイスの状態情報を提供する領域のことをいう。本発明の実施形態において、前記状態情報は、前記状態情報領域２００内に静的イメージ、動的イメージ、静的テキスト、動的テキストなどの情報アイテムとして提供され、状態情報領域２００は、少なくとも一つの情報アイテムを表示することができる。特に、本発明の実施形態において、前記状態情報領域２００は、デバイスインジケーター領域２３０と、トレイインジケーター領域２５０とに画成することができ、前記デバイスインジケーター領域２３０及びトレイインジケーター領域２５０のそれぞれは、少なくとも一つの情報アイテムを表示することができる。
【００３２】
例えば、前記デバイスインジケーター領域２３０は、タッチデバイスと関わる状態情報を表示する領域であり、通信と関わる信号の強度を知らせるアイテム、メッセージ受信を知らせるアイテム、振動／音／無音情報を知らせるアイテム、ブルートゥースの活性化／非活性化の設定状態を知らせるアイテム、Ｗｉ−Ｆｉの活性化／非活性化の設定状態を知らせるアイテム、バッテリー充電（または、残量）状態を知らせるアイテム、時間情報を知らせるアイテムなどの情報アイテムを表示することができる。これらの情報アイテムは一つの実施形態に過ぎず、上述したアイテムに加えて様々なアイテムが提供され得る。そして、前記デバイスインジケーター領域２３０には、上述した多数の情報アイテムのうちタッチデバイスの使用環境に応じて一つまたは多数のアイテムが配置されて表示されてもよい。
【００３３】
前記トレイインジケーター領域２５０は、コンタクトトレイ４００の表示及び隠匿間のトグルのための領域を表示する。そして、前記トレイインジケーター領域２５０は、コンタクトトレイ４００に含まれているトレイアイテムに対応する特定のコンタクト（ユーザー）に対して発生されたイベントをアラームする情報アイテムを表示することができる。前記トレイインジケーター領域２５０の情報アイテムは、発生されたイベントの機能に対応するイメージとテキストとの組み合わせにより表示することができる。例えば、発生されたイベントがＳＮＳによって特定のコンタクトからデータが入力されるときに、ＳＮＳに対応するイメージと入力されたデータに関する概略情報（例えば、テキスト）を表示することができる。
【００３４】
本発明の実施形態において、前記実行画面領域３００とは、前記タッチデバイスにおいて実行されるアプリケーションによる画面を提供する領域のことをいう。例えば、前記実行画面領域３００は、タッチデバイスがサポートするあらゆる実行画面を表示することができる。例えば、前記実行画面は、１以上の待ち受け画面、各種のアプリケーションに対応する実行画面、各種のアプリケーションに対応するリスト実行画面などであり得る。そして、前記実行画面領域３００は、上記の実行画面の上に本発明において定義されるコンタクトトレイ４００が表示され得る。加えて、前記実行画面領域３００は、前記コンタクトトレイ４００が表示された状態で、後述するように選択されるトレイアイテムに対応するポップアップウィンドウ５００を一緒に表示することができる。前記コンタクトトレイ４００及びポップアップウィンドウ５００は、実行画面領域３００に表示された実行画面を維持する状態で、当該実行画面の上にオーバーレイ表示され得る（図６参照）。以下、本発明の実施形態によるコンタクトトレイ４００が提供される画面構成について説明する。
【００３５】
前記図２及び図３に示すように、本発明のコンタクトトレイは、多数のトレイアイテムからなり得る。本発明において、トレイアイテムは、上述したようなフォンブックメニューなどによって登録された少なくとも一つのコンタクトに関するコンタクト情報と整合され得る。このため、コンタクトトレイ４００を構成する各トレイアイテムは、コンタクト情報に基づいて生成され得る。例えば、各トレイアイテムは、対応するコンタクト情報によるイメージとユーザー情報（例えば、ネーム、ニックネーム、ＩＤなど）との組み合わせにより構成されて表示され得る（図３参照）。本発明において、コンタクトトレイ４００に含まれるトレイアイテムは、格納部１３０に格納されたコンタクト情報に対応して、全てのコンタクト情報に対してトレイアイテムが自動的に登録され得る。または、コンタクトトレイ４００に含まれるトレイアイテムは、格納部１３０に格納されたコンタクト情報のうちユーザー設定に対応する所定のコンタクト情報に対してトレイアイテムが登録され得る。
【００３６】
そして、本発明の前記コンタクトトレイ４００は、第１アイテム領域４３０と、第２アイテム領域４５０及び第３アイテム領域４７０に画成されて提供され得る。すなわち、前記コンタクトトレイ４００にコンタクト情報に基づくトレイアイテムを提供する際に、第１アイテム領域４３０及び第２アイテム領域４５０に画成して表示することができ、第３アイテム領域４７０をさらに画成して表示することができる。本発明の実施形態において、前記第１アイテム領域４３０と、第２アイテム領域４５０及び第３アイテム領域４７０は、ユーザーに前記領域が始まって終わるところを直観できるように表示して境界を明確に表示するための形で提供され得る。例えば、図２及び図３において、第１アイテム領域４３０と、第２アイテム領域４５０及び第３アイテム領域４７０の各背景（例えば、トレイアイテム以外の余分の空間）を他の色で表示したり、第１アイテム領域４３０のトレイアイテムを他のトレイアイテムと識別（例えば、ハイライト表示、または大きさを他のトレイアイテムと区別）して表示することができる。
【００３７】
また、本発明の実施形態においては、前記第１アイテム領域４３０を介してタッチデバイスのユーザーに対応するコンタクト情報と紐付けられたトレイアイテムが表示され、第２アイテム領域４５０を介して前記ユーザーによって登録されたそれぞれのコンタクト情報と紐付けられた多数のトレイアイテムが表示され得る。前記第２アイテム領域４５０は、トレイアイテムのスクロールのためのスクロール機能がサポートされ得る。すなわち、本発明の実施形態において、前記第１アイテム領域４３０及び第３アイテム領域４７０は、ユーザーインタラクションによるスクロール制御が行われない固定領域であり、前記第２アイテム領域４５０は、ユーザーインタラクションによるスクロール制御が行われるスクロール領域であり得る。このようなスクロール機能については後述する。そして、第３アイテム領域４７０には、コンタクトトレイ４００のトレイアイテム編集のためのアイテムが表示される。例えば、アイテム領域４７０は、トレイアイテムなどの追加及び／又は削除による編集が許容され得る。本発明の他の実施形態において、第３トレイ領域４７０は、コンタクトトレイ４００から省略され得る。
【００３８】
このような本発明のコンタクトトレイ４００は、図２に示すように、コンタクト情報基盤のトレイアイテムとして提供されるか、または、図３に示すように、コンタクト情報基盤のトレイアイテムと当該コンタクト情報から最近に発生されたイベントに関するイベント情報とが結合されて提供され得る。前記図３に示す提供方式においては、特定のコンタクトからイベント発生があるときに、当該イベントに関するイベント情報を更新して表示することができる。このようなコンタクトトレイ４００の提供方式は、ユーザー設定による。
【００３９】
以下、上述した本発明のコンタクトトレイ４００を運用する動作例について、図４乃至図６に基づいて説明する。
【００４０】
図４乃至図６は、本発明の実施形態によるコンタクトトレイ４００の運用動作を説明するための図である。
【００４１】
特に、前記図４は、本発明のタッチデバイスにおいて、コンタクトトレイ４００を特定の実行画面の上に表示する動作例を示す図であり、前記図５は、前記図４に従い実行画面の上に表示されたコンタクトトレイ４００において、トレイアイテムのスクロール制御動作例を示す図であり、前記図６は、前記図４に従い表示されたコンタクトトレイ４００において、選択されたトレイアイテムに対応するポップアップウィンドウを提供する動作例を示す図である。
【００４２】
前記図４を参照すると、参照番号４０１にて示すように、表示部１２０の上にタッチデバイスインジケーター領域２３０とトレイインジケーター領域２５０とからなる状態情報領域２００と実行画面領域３００とに画成され、前記実行画面領域３００に待ち受け画面が表示された状態を想定する。参照番号４０１のような状態で、ユーザーは、トレイインジケーター領域２５０にタッチ基盤で設定されたユーザーインタラクションを入力することができる。例えば、ユーザーは、コンタクトトレイ４００の呼び出し（すなわち、実行画面の上に表示）のためにトレイインジケーター領域２５０に呼び出しインタラクションを入力することができる。本発明の実施形態において、前記呼び出しインタラクションは、トレイインジケーター領域２５０をタップするタップインタラクション、トレイインジケーター領域２５０のタッチ後に下方に移動するスイープ（ｓｗｅｅｐ）インタラクション及びフリック（ｆｌｉｃｋ）インタラクション（例えば、トレイインジケーター領域２５０をタッチし、同時に前記タッチされたオブジェクトを移動し、前記インジケーター領域２５０をタッチしない）などを含み、ユーザーはいずれか一つの設定されたインタラクションを入力することができる。
【００４３】
すると、制御部１４０は、参照番号４０１のような状態で、トレイインジケーター領域２５０において呼び出しインタラクションを感知すると、参照番号４０３にて示すように、コンタクトトレイ４００を前記実行画面上のある領域に表示する。本発明においては、前記コンタクトトレイ４００が表示部１２０の実行画面上の右側空間に配置されて提供されることを例示しているが、本発明がこれに限定されるものではない。このため、前記コンタクトトレイ４００は、表示部１２０の実行画面上の左側空間、または実行画面上の下側空間に配置されて提供されてもよい。または、前記コンタクトトレイ４００は、表示部１２０の実行画面上の状態情報領域２００と隣り合う下側空間に配置されて表示されてもよい。さらに、上記のように特定の空間に配置されたコンタクトトレイ４００をユーザーインタラクションにより任意の空間に移動してもよいことはいうまでもない。このようなコンタクトトレイ４００の配置はユーザー設定による。
【００４４】
そして、前記コンタクトトレイ４００は、右方から左方へとスライドされて表示されるか、または、上方から下向へとスライドされて表示されるか、または、下方から上方へスライドされて表示される。
【００４５】
一方、参照番号４０３のような状態で、ユーザーは、トレイインジケーター領域２５０に上述したタップインタラクションを入力することができる。この場合、制御部１４０は、参照番号４０３のようなコンタクトトレイ４００が表示された状態でトレイインジケーター領域２５０においてタップインタラクションを感知すると、参照番号４０１にて示すように、前記コンタクトトレイ４００を実行画面の上から除去 する（すなわち、隠す）ことができる。このとき、前記コンタクトトレイ４００の除去は、上述したようなコンタクトトレイ４００の表示動作の逆動作によって行われ得る。
【００４６】
また、前記図４にはその図示及び説明は省略したが、コンタクトトレイ４００の呼び出しのためのユーザーインタラクションは、別設されたハードウェア的な機能キーによって入力されるか、または、別設されたタッチパッドによって入力されるか、または、表示部１２０上に別設されるソフトウェア的なソフトキー（例えば、コンタクトトレイ４００の呼び出し機能を有する特定のアイコン形式（例えば、三角形状）の指示子）によって入力される。この場合、本発明の実施形態において、前記トレイインジケーター領域２５０は前記状態情報領域２００から省略され、デバイスインジケーター領域２３０のみから構成されてもよい。
【００４７】
前記図５を参照すると、前記図４の参照番号４０３にて示すように、ユーザーインタラクションによりコンタクトトレイ４００が表示された状態で、ユーザーは、コンタクトトレイ４００にトレイアイテムのスクロール制御のためのタッチ基盤で設定されたユーザーインタラクションを入力することができる。例えば、ユーザーは、参照番号５０１にて示すように、コンタクトトレイ４００の一方の側から他方の側に移動（例えば、コンタクトリスト４００の下端から上端に移動、または、上端から下端に移動）するスイープインタラクション（または、フリックインタラクション）を入力することができる。
【００４８】
すると、制御部１４０は、参照番号５０１のように、コンタクトトレイ４００においてスイープインタラクションを感知すると、参照番号５０３にて示すように、コンタクトトレイ４００のトレイアイテムをスクロール制御し、それに対応して、スクロールされたトレイアイテムに変更して表示する。このとき、制御部１４０は、前記スイープインタラクションの入力程度（例えば、入力強弱、入力長さなど）に対応して、トレイアイテムのスクロールを制御し、それに対応する画面表示を制御することができる。
【００４９】
一方、前記制御部１４０は、参照番号５０１及び参照番号５０３にて示すように、コンタクトトレイ４００のトレイアイテムのスクロール制御時に、上述したように、固定領域に対応する第１アイテム領域４３０のトレイアイテム及び第３アイテム領域４７０は位置を固定表示し、スクロール領域に対応する第２アイテム領域４５０のトレイアイテムに対するスクロールのみを制御することができる。すなわち、ユーザーインタラクションに対応して、第２アイテム領域４５０に表示された多数のトレイアイテムの上下移動が行われ、前記第２アイテム領域４５０のトレイアイテムがスクロールによる移動中にも第１アイテム領域４３０のトレイアイテムと第３アイテム領域４７０のアイテムはスクロールされずに固定表示される。本発明の他の実施形態において、前記スクロールは、あるトレイアイコンを前記トレイアイコンリストから除去して新たなアイコンに置き換えることができる。また、他の実施形態において、前記トレイアイコンは、前記トレイアイコンの一方の端から他方の端に移動され得る（まるでメリーゴーランドのように）。
【００５０】
上述したように、前記コンタクトトレイ４００は、第１アイテム領域４３０と、第２アイテム領域４５０と、を含み、前記第１アイテム領域４３０は、タッチデバイスのユーザーに対応するコンタクト情報と紐付けられたトレイアイテムを提供し、スクロール制御がサポートされない固定領域を示し、前記第２アイテム領域４５０は、前記ユーザーによって登録されたそれぞれのコンタクト情報と紐付けられた多数のトレイアイテムを提供し、スクロール制御がサポートされるスクロール領域を示す。
【００５１】
前記図６を参照すると、前記図４の参照番号４０３または前記図５に示すように、ユーザーインタラクションによりコンタクトトレイ４００が表示された状態で、ユーザーは、コンタクトトレイ４００の特定のトレイアイテムを選択するためのタッチ基盤で設定されたユーザーインタラクションを入力することができる。例えば、ユーザーは、参照番号６０１または参照番号６０３にて示すように、コンタクトトレイ４００を介して表示された多数のトレイアイテムのうち任意のトレイアイテムを選択するタップインタラクションを入力することができる。
【００５２】
すると、制御部１４０は、コンタクトトレイ４００において任意のトレイアイテムに対するタップインタラクションを感知すると、参照番号６０１または参照番号６０３にて示すように、タップインタラクションが入力されたトレイアイテムに対応するコンタクト情報をポップアップウィンドウ５００を介して表示する。例えば、制御部１４０は、コンタクトトレイ４００において任意のトレイアイテムに対するタップインタラクションが感知されたときに、タップインタラクションが入力されたトレイアイテムを識別することができる。そして、識別されたトレイアイテムに対応するコンタクト情報を追跡し、追跡されたコンタクト情報をポップアップウィンドウ５００を介して表示することができる。
【００５３】
本発明の実施形態において、前記ポップアップウィンドウ５００は、参照番号６０１及び参照番号６０３にて示すように、タップインタラクションが入力された当該トレイアイテムと隣り合うように表示され得る。また、前記ポップアップウィンドウ５００は、参照番号６０１のようにコンタクトトレイ４００と隣り合い、画面上の最上端を基準として配置されて表示され得る。または、前記ポップアップウィンドウ５００は、タップインタラクションが入力された当該トレイアイテムの位置とは無関係に、実行画面上の真ん中を基準として配置されて表示され得る。このようなポップアップウィンドウ５００のポップアップ出力方式は、ユーザー設定による。なお、前記前記ポップアップウィンドウ５００は、最初の出力後に他の位置に移動され得る。
【００５４】
一方、本発明の実施形態において、コンタクト情報は、特定のコンタクトに対して設定されたユーザーイメージ、ユーザー名、様々なユーザー電話番号（例えば、モバイル電話番号、自宅の電話番号、会社の電話番号など）、電子メールアドレス、インターネットサービスの利用によるリンク情報（例えば、特定のコンタクトとインターネットサービス基盤で紐付けられてメッセンジャー、フェースブック、ツイーターなどのＳＮＳにより共有した他のユーザーのＩＤ情報、ホームアドレス、メッセージ情報、メモ情報など）などを含むことができる。そして、本明細書において、前記コンタクト情報は、代表情報と付加情報とに大別できる。前記代表情報は、前記コンタクト情報のうちコンタクトをより直観的に認知できるように設定される情報（例えば、ユーザーイメージ、ユーザー名）を示し、前記付加情報は、前記コンタクト情報のうち前記代表情報を除くコンタクトに対して付加的に設定される情報を示す。
【００５５】
また、上述したように、第１アイテム領域４３０には、タッチデバイスユーザーに対応するコンタクト情報と紐付けられたトレイアイテムが位置してもよい。そして、第２アイテム領域４５０には、タッチデバイスユーザーによって登録されたそれぞれの他のユーザーに対応するコンタクト情報と紐付けられた多数のトレイアイテムが位置してもよい。
【００５６】
このため、本発明の実施形態において、前記ポップアップウィンドウ５００は、タップインタラクションが入力されたトレイアイテムのタイプまたはアイテム領域のタイプによって異なる種類のコンタクト情報が表示され得る。例えば、ユーザーが第１アイテム領域４３０のトレイアイテムにタップインタラクションを入力する際に、前記ポップアップウィンドウ５００は、参照番号６０１にて示すように、前記コンタクト情報のうち前記トレイアイテム（前記ユーザー）に対応する代表情報と前記付加情報のうちリンク情報が表示され得る。すなわち、タッチデバイスユーザーに対応するトレイアイテムが選択されるときに、代表情報と一緒に前記ユーザーが他のユーザーとＳＮＳ、メッセージ、メッセンジャーなどのサービス利用により送受したデータ（例えば、メッセージ）を追跡してポップアップ表示することができる。すなわち、前記ユーザーの履歴情報を直観的に表示することができる。
【００５７】
そして、ユーザーが第２アイテム領域４５０のトレイアイテムにタップインタラクションを入力する際に、前記ポップアップウィンドウ５００は、参照番号６０３にて示すように、前記コンタクト情報のうち前記トレイアイテム（他のユーザー）に対応する代表情報と前記付加情報の全体または付加情報のうち設定された一部の情報が表示され得る。さらに、ユーザーは、前記ポップアップウィンドウ５００を介して表示された付加情報のうち特定の情報の選択によって当該機能を実行することもできる。例えば、ユーザーは、ポップアップウィンドウ５００の付加情報のうち特定の電話番号にタップインタラクション入力を介して当該電話番号へのコール機能を行うことができる。または、ユーザーは、ポップアップウィンドウ５００の付加情報のうちメールアドレスにタップインタラクション入力を介して当該コンタクトをあて先とするメール機能を行うことができる。または、ユーザーは、ポップアップウィンドウ５００の付加情報のうちホームアドレスにタップインタラクション入力を介してウェブ機能を実行し、且つ、ホームアドレスに対応するホームページを表示することができる。
【００５８】
一方、前記図６にはその図示及び説明は省略したが、ユーザーは、第３アイテム領域４７０のアイテムにタップインタラクションを入力することができる。この場合、コンタクトトレイ４００を構成（修正、削除、追加などの編集）できる設定メニューが前記ポップアップウィンドウ５００を介して提供され得る。または、前記第３アイテム領域４７０のアイテムのタップインタラクション時にコンタクトトレイ４００の構成のための画面（例えば、フォンブックリスト実行画面など）に切り替わって表示され得る。
【００５９】
また、本発明の実施形態において、前記コンタクトトレイ４００の構成は、フォンブックリスト実行画面が提供された状態で特定のコンタクトを選択してコンタクトトレイ４００に移動するインタラクション（例えば、タップ、中止、移動動作）によって新たなコンタクトのコンタクト情報に対応するトレイアイテムをコンタクトトレイ４００に追加することもできる。このとき、ユーザーが追加要請するコンタクトのコンタクト情報を有するトレイアイテムがコンタクトトレイ４００に存在する際に、当該コンタクトが既に存在することを表示したりアラームしたりすることもできる。
【００６０】
図７は、本発明の実施形態に係るタッチデバイスにおいて、トレイアイテムのコンタクト情報と紐付けられたアプリケーション運用動作例を示す図である。
【００６１】
前記図７を参照すると、参照番号７０１にて示すように、表示部１２０の実行画面領域３００に任意のアプリケーション実行に対応する実行画面（例えば、メールリスト実行画面）が表示された状態を想定する。そして、前記メールリストは少なくとも２つに画成された領域（例えば、コンタクトのリストを表示するリストビュー領域７１０、選択されたコンタクトに対応する情報を表示する情報ビュー領域７３０など）を介して提供されるか、または、特定の領域を画成することなく単一の領域を介して提供される。そして、前記実行画面の一方の側に、上述したように、コンタクトトレイ４００が表示された状態を想定する。
【００６２】
次に、ユーザーは、参照番号７０１のような状態でリストビュー領域７１０に表示された特定のコンタクト（以下、コンテンツ）または情報ビュー領域７３０に表示された特定の情報（以下、コンテンツ）を指定して、参照番号７０３にて示すように、コンタクトトレイ４００の任意のトレイアイテムに移動するユーザーインタラクションを入力することができる。例えば、ユーザーは、参照番号７０１のような状態で情報ビュー領域７３０に表示された情報のうち特定のコンテンツ（例えば、イメージアイテム７５０）を選択して、参照番号７０３にて示すように、コンタクトトレイ４００のトレイアイテムのうち参照番号７５０のトレイアイテム位置に移動するインタラクション（例えば、ドラッグインタラクションまたはスイープインタラクション）を入力することができる。
【００６３】
すると、制御部１４０は、参照番号７０１のような実行画面が表示された状態で、前記実行画面から入力されてコンタクトトレイ４００に移動されるインタラクションを感知すると、参照番号７０３にて示すように、前記コンテンツの移動により前記コンタクトトレイ４００において前記コンテンツと重なる位置のトレイアイテムを浮き彫りにするビジュアルエフェクト（例えば、当該トレイアイテムを所定の割合にて拡大）を与えて直観的に表示することができる。このとき、前記インタラクションがコンタクトトレイ４００内において移動に対応して当該位置のトレイアイテムにビジュアルエフェクトを反映して表示することができる。例えば、参照番号７５０のトレイアイテム位置から上方に前記インタラクションが移動されるときに、それに対応して前記参照番号７５０のトレイアイテムは元の形状に戻り、前記インタラクションが移動される位置の当該トレイアイテム（例えば、参照番号７５０の上側トレイアイテム）がビジュアルエフェクトが反映されて表示され得る。
【００６４】
次に、ユーザーは、特定のコンテンツをコンタクトトレイ４００から希望の特定のトレイアイテム（例えば、参照番号７５０）の位置に移動した後、前記インタラクションをリリースすることができる。例えば、ユーザーは、実行画面から特定のコンテンツを選択した後、コンタクトトレイ４００の希望のトレイアイテムに移動（例えば、ドラッグ入力）した後、その入力を解放（ドロップ入力）するようなドラッグアンドドロップ（ｄｒａｇ＆ｄｒｏｐ）インタラクションを入力することができる。
【００６５】
すると、制御部１４０は、参照番号７０３のような状態でインタラクションリリースを感知する際に、コンタクト情報と紐付けられて実行可能なアプリケーションのリストを、参照番号７０５にて示すように、ポップアップウィンドウ７００を介して表示することができる。例えば、参照番号７０５にて示すように、＜Ｍｅｓｓａｇｅ＞、＜Ｅｍａｉｌ＞、＜Ｆａｃｅｂｏｏｋ＞、＜Ｔｗｉｔｔｅｒ＞などのアプリケーションのリストがポップアップウィンドウ７００を介してポップアップ表示され得る。この後、ユーザーは、前記ポップアップウィンドウ７００から希望のアプリケーションを選択することができる。そして、制御部１４０は、選択された当該アプリケーションを実行し、その実行画面の表示（図示せず）を制御することができる。このとき、制御部１４０は、実行画面の表示時にイベントが発生される当該トレイアイテムのコンタクト情報を取り出し、実行アプリケーションに対応して取り出されたコンタクト情報に基づいて前記実行画面を構成することができる。そして、制御部１４０は、前記トレイアイテムと紐付けられたコンテンツ（例えば、参照番号７５０のイメージアイテム）を前記実行画面に自動的に入力して表示することができる。このような画面例については、図１４乃至図１６に基づいて後述する。
【００６６】
一方、以上において、既に図７を参照して説明したように、コンタクト情報と紐付けられたトレイアイテムを介してコンタクト情報が必要なアプリケーションを運用する際に、前記図７のようにポップアップウィンドウ７００を介して実行可能なアプリケーションリストを表示することができる。例えば、特定のアプリケーションの実行中にユーザーが希望するコンテンツをコンタクトトレイ４００の任意のトレイアイテムにドラッグアンドドロップして、前記コンテンツと前記トレイアイテムのコンタクト情報との紐付けによって実行可能なアプリケーションリストを表示することができる。そして、アプリケーションリストから選択されたアプリケーションにより前記コンテンツと前記コンタクト情報を用いた画面構成を自動的に行うことができる。したがって、本発明の実施形態においては、実行画面のコンテンツとトレイアイテムのコンタクト情報との紐付けによる実行可能なアプリケーションを予め定義するか、または、現在実行中のアプリケーションタイプなどに応じて対応するアプリケーションを直ちに実行する。この例を図８乃至図１０を参照して述べる。
【００６７】
図８は、本発明の実施形態に係るタッチデバイスにおいて、トレイアイテムのコンタクト情報と紐付けられたアプリケーションの運用動作例を示す図である。
【００６８】
前記図８を参照すると、参照番号８０１にて示すように、表示部１２０の実行画面領域３００に任意のアプリケーションの実行に対応する実行画面（例えば、コンタクトリスト実行画面）が表示された状態を想定する。そして、前記コンタクトリストは、少なくとも２つに画成された領域（例えば、コンタクトのリストを表示するリストビュー領域７１０、選択されたコンタクトに対応する情報を表示する情報ビュー領域７３０など）を介して提供されるか、または、特定の領域を画成することなく単一の領域を介して提供される。そして、前記実行画面の一方の側に、上述したように、コンタクトトレイ４００が表示された状態を想定する。
【００６９】
次に、ユーザーは、参照番号８０１のような状態で、実行画面の特定のコンテンツ（例えば、「Ｈａｎ Ｐａｕｌ」コンタクト８１０）を選択して、参照番号８０３にて示すように、コンタクトトレイ４００の特定のトレイアイテム８５０に移動してリリースするユーザーインタラクションを入力することができる。例えば、ユーザーは、実行画面のコンタクトリストから「Ｈａｎ Ｐａｕｌ」コンタクト８１０を選択した後、参照番号８５０のトレイアイテムにドラッグしてドロップするドラッグアンドドロップインタラクションを入力することができる。このとき、参照番号８０３にて示すように、コンテンツ８１０のコンタクトトレイ４００への移動により、イベントが発生する当該位置のトレイアイテム８５０がビジュアルエフェクト（例えば、拡大）が反映されて表示され得る。
【００７０】
すると、制御部１４０は、前記実行画面から入力されてコンタクトトレイ４００に移動されるインタラクションを感知すると、参照番号８０５にて示すように、予め定義されたアプリケーション（例えば、メールアプリケーション）を実行し、その実行画面を表示することができる。例えば、予め定義されたアプリケーションがメールアプリケーションであることを想定すると、参照番号８０５にて示すように、メール作成のための様々な入力フィールドを有する実行画面が表示され得る。そして、制御部１４０は、前記実行画面の提供時にイベントが発生された当該トレイアイテム８５０と前記コンテンツ８１０に基づいて前記実行画面を構成して表示することができる。例えば、前記トレイアイテム８５０に対応するコンタクト情報を取り出して宛て先情報フィールド８６０を構成し、前記コンテンツ８１０に対応するコンタクト情報を取り出して題目フィールド８７０及び内容フィールド８８０を構成することができる。
【００７１】  このような実行画面の構成動作を図８に示す参照番号８０５を例にとって説明すると、制御部１４０は、前記トレイアイテム８５０によるイベント発生を感知すると、予め定義されたアプリケーションのタイプを識別することができる。そして、予め定義されたアプリケーションを認知する際に、当該アプリケーション（例えば、メールアプリケーション）により前記トレイアイテム８５０に対応するコンタクト情報を取り出すことができる。このようなコンタクト情報の取り出しは、トレイアイテムに対応するコンタクトに対してユーザーが格納部１２０（例えば、フォンブック）に予め登録したコンタクト情報に基づいて行うことができる。制御部１４０は、前記例において、メールアプリケーションにより前記トレイアイテム８５０に登録されたコンタクト情報のうちメールアドレス（例えば、「（公序良俗違反につき、不掲載）」）を取り出すことができる。そして、制御部１４０は、取り出されたメールアドレス（例えば、「（公序良俗違反につき、不掲載）」）をあて先情報フィールド８６０に入力して実行画面を構成することができる。すなわち、前記トレイアイテム８５０のコンタクト情報に基づいてあて先を自動的に指定することができる。
【００７２】
また、制御部１４０は、選択されたコンテンツ８１０のタイプ及び実行するアプリケーションタイプに応じて前記コンテンツ８１０により実行画面を構成するか、または、前記コンテンツ８１０に対応する情報（例えば、コンタクト情報）により実行画面を構成する。制御部１４０は、前記例において、選択されたコンテンツ８１０がコンタクトであり、且つ、実行されたアプリケーションがメールアプリケーションであることにより、前記コンテンツ８１０に登録されたコンタクト情報を取り出すことができる。そして、制御部１４０は、取り出されたコンタクト情報を内容フィールド８８０に入力して実行画面を構成することができる。併せて、前記図８の例示が特定のコンタクトに関するコンタクト情報をトレイアイテムに対応するあて先に発送する例示であることに基づいて、制御部１４０は、題目フィールド８７０を「Ｃｏｎｔａｃｔ ｉｎｆｏ ｏｆ Ｈａｎ Ｐａｕｌ」のように生成して自動的に入力してもよいことはいうまでもない。
【００７３】
図９は、本発明の実施形態に係るタッチデバイスにおいて、トレイアイテムのコンタクト情報と紐付けられたアプリケーションの運用動作例を示す図である。
【００７４】
前記図９を参照すると、参照番号９０１にて示すように、表示部１２０の実行画面領域３００に任意のアプリケーション実行に対応する実行画面（例えば、写真リスト実行画面）が表示された状態を想定する。そして、前記写真リストは格納された各写真データのサムネールによるブロックタイプとして提供されるか、または、前記図９の例示のように各写真データのイメージとそこに設定されたテキスト情報による羅列タイプとして提供される。そして、前記実行画面の一方の側に、上述したように、コンタクトトレイ４００が表示された状態を想定する。
【００７５】
次に、ユーザーは、参照番号９０１のような状態で、実行画面の特定のコンテンツ（例えば、特定の写真データ９１０）を選択して、参照番号９０３にて示すように、コンタクトトレイ４００の特定のトレイアイテム９５０に移動してリリースするユーザーインタラクションを入力することができる。例えば、ユーザーは、実行画面の写真リストから特定の写真データ９１０を選択した後、参照番号９５０のトレイアイテムにドラッグしてドロップするドラッグアンドドロップインタラクションを入力することができる。このとき、参照番号９０３にて示すように、コンテンツ９１０のコンタクトトレイ４００への移動によりイベントが発生する当該位置のトレイアイテム９５０がビジュアルエフェクト（例えば、拡大）が反映されて表示され得る。
【００７６】
すると、制御部１４０は、前記実行画面から入力されてコンタクトトレイ４００に移動されるインタラクションを感知すると、参照番号９０５にて示すように、予め定義されたアプリケーション（例えば、ＭＭＳアプリケーション）を実行し、その実行画面を表示することができる。例えば、予め定義されたアプリケーションがＭＭＳアプリケーションであることを想定すると、参照番号９０５にて示すように、ＭＭＳの作成のための様々な入力フィールドを有する実行画面が表示され得る。そして、制御部１４０は、前記実行画面の提供時にイベントが発生された当該トレイアイテム９５０と前記コンタクト９１０に基づいて前記実行画面を構成して表示することができる。例えば、前記トレイアイテム９５０に対応するコンタクト情報を取り出してあて先情報フィールド９６０を構成し、前記コンテンツ９１０を内容フィールド（または、添付フィールド）９８０により構成することができる。
【００７７】
このような実行画面の構成動作を図９に示す参照番号９０５を例にとって説明すると、制御部１４０は、前記トレイアイテム９５０によるイベント発生を感知すると、予め定義されたアプリケーションのタイプを識別することができる。そして、予め定義されたアプリケーションを認知する際に、当該アプリケーション（例えば、ＭＭＳアプリケーション）により前記トレイアイテム９５０に対応するコンタクト情報を取り出すことができる。制御部１４０は、前記例示において、ＭＭＳアプリケーションにより前記トレイアイテム９５０に登録されたコンタクト情報のうちモバイル電話番号（例えば、「０１０−１２３４−５６７８」）を取り出すことができる。そして、制御部１４０は、取り出されたモバイル電話番号（例えば、「０１０−１２３４−５６７８」）をあて先情報フィールド９６０に入力して実行画面を構成することができる。すなわち、前記トレイアイテム９５０のコンタクト情報に基づいてあて先を自動的に指定することができる。
【００７８】
また、制御部１４０は、選択されたコンテンツ９１０のタイプ及び実行するアプリケーションタイプに応じて前記コンテンツ９１０により実行画面を構成するか、または、前記コンテンツ９１０に対応する情報により実行画面を構成する。制御部１４０は、前記例示において、選択されたコンテンツ９１０が写真データであり、実行されたアプリケーションがＭＭＳアプリケーションであることにより、前記コンテンツ９１０の写真データを内容フィールド９８０に入力して実行画面を構成することができる。併せて、前記図９の例示において、前記内容フィールド９８０には、前記写真データと共に、それに対応して設定された他の情報（例えば、テキスト情報）がさらに入力されてもよい。
【００７９】
図１０は、本発明の実施形態に係るタッチデバイスにおいて、トレイアイテムのコンタクト情報と紐付けられたアプリケーションの運用動作例を示す図である。
【００８０】
前記図１０を参照すると、参照番号１００１にて示すように、表示部１２０の実行画面領域３００に任意のアプリケーション実行に対応する実行画面（例えば、受信メール実行画面）が表示された状態を想定する。そして、前記実行画面の一方の側に、上述したように、コンタクトトレイ４００が表示された状態を想定する。
【００８１】
次に、ユーザーは、参照番号１００１のような状態で、実行画面の特定のコンテンツ（例えば、テキスト１０１０）を選択することができる。前記図１０においては、コンテンツの一部であるテキスト（例えば、「０１０−１２３４−５６７８」）を指定して選択する場合を例に取る。例えば、ユーザーは、受信メール実行画面のうち内容フィールド１０８０にあるコンテンツにおいて希望のテキスト（例えば、「０１０−１２３４−５６７８」）を、参照番号１００１にて示すように、ドラッグまたはスイープなどのインタラクションでブロック指定することができる。
【００８２】
次に、ユーザーは、参照番号１００１のような実行画面においてブロック指定された前記テキスト（例えば、「０１０−１２３４−５６７８」）を、参照番号１００３にて示すように選択して、参照番号１００５にて示すようにコンタクトトレイ４００の特定のトレイアイテム１０５０に移動してリリースするユーザーインタラクションを入力することができる。例えば、ユーザーは、実行画面のコンテンツからブロック指定されたテキスト１０１０を選択した後、参照番号１０５０のトレイアイテムにドラッグしてドロップするドラッグアンドドロップインタラクションを入力することができる。このとき、参照番号１００５にて示すように、コンテンツ１０１０のコンタクトトレイ４００への移動により、イベントが発生する当該位置のトレイアイテム１０５０がビジュアルエフェクトが反映されて表示され得る。
【００８３】
すると、制御部１４０は、前記実行画面から入力されてコンタクトトレイ４００に移動されるインタラクションを感知すると、既に図７乃至図９を参照して説明したように、予め定義されたアプリケーションを実行するか、または、実行可能なアプリケーションのリストをポップアップウィンドウを介して表示することができる。
【００８４】
例えば、予め定義されたアプリケーションがメールアプリケーションである場合に、既に図８の参照番号８０５を参照して説明したように、メールアプリケーションを実行し、その実行画面の構成を処理することができる。または、予め定義されたアプリケーションがＭＭＳアプリケーションである場合、既に図９の参照番号９０５を参照して説明したように、ＭＭＳアプリケーションを実行し、その実行画面の構成を処理することができる。これらに加えて、予め定義されたアプリケーションによりフェースブックアプリケーション、ツイーターアプリケーションなどを実行し、その実行画面の構成を処理することもできる。また、実行すべきアプリケーションが予め定義されていない場合、既に図７の参照番号７０５を参照して説明したように、実行可能なアプリケーションリストをポップアップウィンドウを介して表示し、ポップアップウィンドウからユーザーによって選択されるアプリケーションを実行し、かつ、その実行画面の構成を処理することもできる。
【００８５】
一方、以上、図７乃至図１０においては、実行画面のコンテンツをコンタクトトレイ４００に表示された任意のトレイアイテムに移動するユーザーインタラクションによりアプリケーションを運用する動作に対する例について述べた。次に、以下では、コンタクトトレイ４００のトレイアイテムを実行されたアプリケーションの実行画面に移動するユーザーインタラクションによりアプリケーションを運用する動作例について述べる。
【００８６】
図１１は、本発明の実施形態に係るタッチデバイスにおいて、トレイアイテムのコンタクト情報と紐付けられたアプリケーションの運用動作例を示す図である。
【００８７】
前記図１１を参照すると、参照番号１１０１にて示すように、表示部１２０の実行画面領域３００に任意のアプリケーション実行に対応する実行画面（例えば、メール作成実行画面）が表示された状態を想定する。このとき、本明細書において、メール作成実行画面は、参照番号１１０１にて示すように、あて先情報フィールド１１１０、参照者情報フィールド１１２０、題目フィールド１１３０、添付フィールド１１４０及び内容フィールド１１５０からなるものを例にとる。そして、前記参照番号１１０１にて示す実行画面は、ユーザーのメールアプリケーション運用により前記各フィールド１１１０、１１２０、１１３０、１１４０、１１５０が空白状態である初期のメール作成実行画面であることを想定する。なお、前記実行画面の一方の側に、上述したように、コンタクトトレイ４００が表示された状態を想定する。
【００８８】
次に、ユーザーは、参照番号１１０１のような状態で、コンタクトトレイ４００の任意のトレイアイテムを用いて、それに対応するコンタクト情報により前記実行画面を構成することができる。例えば、ユーザーは、参照番号１１０１のような状態で、コンタクトトレイ４００の第１トレイアイテム１１６０を選択して、参照番号１１０３にて示すように、前記実行画面のあて先情報フィールド１１１０に移動してリリースするユーザーインタラクションを入力することができる。すなわち、ユーザーは、コンタクトトレイ４００の第１トレイアイテム１１６０を選択した後、メール作成実行画面のあて先情報フィールド１１１０にドラッグしてドロップするドラッグアンドドロップインタラクションを入力することができる。
【００８９】
すると、制御部１４０は、コンタクトトレイ４００から特定のトレイアイテムが選択されて実行画面に移動されるインタラクションを感知すると、参照番号１１０３及び参照番号１１０５にて示すように、前記トレイアイテムに対応するコンタクト情報に基づいて実行画面を構成して表示することができる。
【００９０】  このような実行画面の構成動作を図１１に示す参照番号１１０３を例にとって説明すると、制御部１４０は、前記トレイアイテム１１６０によるイベント発生を感知すると、前記トレイアイテム１１６０に対応するコンタクト情報を取り出すことができる。このとき、制御部１４０は、前記トレイアイテム１１６０が前記実行画面において移動される領域のタイプ（例えば、上述したような実行アプリケーションに対応するように提供される入力フィールドのタイプ）を識別し、それに対応するコンタクト情報を取り出すことができる。例えば、前記図１１の例において、前記トレイアイテム１１６０が宛て先情報フィールド１１１０であることにより、制御部１４０は、前記トレイアイテム１１６０に対応するコンタクト情報のうちメールアドレス（例えば、「（公序良俗違反につき、不掲載）」）を取り出すことができる。そして、制御部１４０は、取り出されたメールアドレス（例えば、「（公序良俗違反につき、不掲載）」）をあて先情報フィールド１１１０に入力して実行画面を構成することができる。すなわち、前記トレイアイテム１１６０のコンタクト情報に基づいてあて先を自動的に指定することができる。なお、仮に、実行アプリケーションがＭＭＳアプリケーションであり、且つ、トレイアイテム１１６０が移動される領域のタイプがあて先情報フィールドである場合に、制御部１４０は、前記トレイアイテムのコンタクト情報のうちモバイル電話番号を取り出して前記あて先情報フィールドに入力して表示することができる。
【００９１】
また、ユーザーは、上記の動作により作成メールの同報伝送のための多数のあて先情報を入力することができる。例えば、他のトレイアイテムの移動によってあて先情報フィールド１１１０を追加して構成したり、参照者情報フィールド１１２０を構成したりすることができる。
【００９２】
次に、ユーザーは、上述した如き動作に対応して、参照番号１１０５にて示すように、第２トレイアイテム１１７０と第３トレイアイテム１１８０を用いて実行画面を構成することができる。例えば、ユーザーは、第２トレイアイテム１１７０を添付フィールド１１４０にドラッグしてドロップするドラッグアンドドロップインタラクションによって第２トレイアイテム１１７０のコンタクト情報のうちユーザーイメージを添付することができる。この場合、制御部１４０は、第２トレイアイテム１１７０が移動される領域のタイプを識別し、それに対応して、第２トレイアイテム１１７０のコンタクト情報のうちユーザーイメージを取り出し、取り出されたユーザーイメージを添付フィールド１１４０に添付することができる。また、ユーザーは、第３トレイアイテム１１８０を内容フィールド１１５０にドラッグしてドロップするドラッグアンドドロップインタラクションによって第３トレイアイテム１１８０のコンタクト情報を入力することができる。この場合、制御部１４０は、第３トレイアイテム１１８０が移動される領域のタイプを識別し、それに対応して第３トレイアイテム１１８０のコンタクト情報を取り出し、取り出された全てのコンタクト情報を内容フィールド１１５０に入力して表示することができる。
【００９３】
一方、本発明の実施形態によれば、ユーザーの便宜及びトレイアイテムを用いた操作の直観性を考慮して、前記図１１に示す動作の運用時にコンタクト情報を利用できない領域にトレイアイテムが移動されるとき、当該トレイアイテムの移動が不可能である旨をアラーム機能を提供することができる。このような動作例について図１２に基づいて説明する。
【００９４】
図１２は、本発明の実施形態に係るタッチデバイスにおいて、トレイアイテムのコンタクト情報と紐付けられたアプリケーションの運用動作例を示す図である。
【００９５】
前記図１２を参照すると、既に図１１を参照した説明したように、メール作成実行画面が表示された状態を想定する。このとき、例えば、前記メール作成実行画面は、題目フィールド１２１０と内容フィールド１２３０などを含む。そして、本明細書においては、前記題目フィールド１２１０の場合に、トレイアイテムの移動が不可能である、すなわち、コンタクト情報に基づいて運用されない領域であることを想定する。なお、前記実行画面の一方の側に、上述したように、コンタクトトレイ４００が表示された状態を想定する。
【００９６】
次に、ユーザーは、上述した実行画面が表示された状態で、コンタクトトレイ４００の任意のトレイアイテム１２５０を実行画面に移動するユーザーインタラクションを入力することができる。例えば、ユーザーは、コンタクトトレイ４００の前記トレイアイテム１２５０を選択した後、前記メール作成実行画面にドラッグまたはスイープなどのインタラクションを入力することができる。
【００９７】
すると、制御部１４０は、コンタクトトレイ４００から前記トレイアイテム１２５０が選択されて実行画面に移動されるインタラクションを感知すると、前記トレイアイテム１２５０が実行画面の上に位置した領域のタイプ（例えば、上述したような実行アプリケーションに対応するように提供される入力フィールドのタイプ）をチェックすることができる。そして、当該領域がコンタクト情報基盤の入力が可能な領域であるか、または不可能な領域であるかを判断することができる。次いで、制御部１４０は、当該領域がコンタクト情報基盤の入力が可能な領域であるか、不可能な領域であるかに対応して、前記トレイアイテム１２５０に対応するフローティングアイテムに他のビジュアルエフェクトを適用して表示することができる。
【００９８】
例えば、上述したように、前記メール作成実行画面において、題目フィールド１２１０がコンタクト情報基盤の入力が不可能な領域であり、内容フィールド１２３０がコンタクト情報基盤の入力が可能な領域であることを想定する。この場合、上記のようにコンタクトトレイ４００のトレイアイテム１２５０がユーザーインタラクションに対応して実行画面に移動されるときに、フローティングアイテム１２６０、１２７０によってユーザーインタラクションによるトレイアイテムの移動経路がビジュアル的に表示される。
【００９９】
本発明の実施形態によれば、ユーザーの直観性を考慮してトレイアイテム、すなわち、フローティングアイテム１２６０、１２７０が位置する領域のタイプに応じて、参照番号１２６０のフローティングアイテムまたは参照番号１２７０のフローティングアイテムが表示され得る。例えば、ユーザーインタラクションにより移動される領域が題目フィールド１２１０上に位置する際に、トレイアイテム１２５０のコンタクト情報に基づいて入力が不可能であることを指示するフローティングアイテム１２６０が表示され得る。これに対し、ユーザーインタラクションにより移動される領域が内容フィールド１２３０上に位置する際に、トレイアイテム１２５０のコンタクト情報機能により入力が可能であることを指示するフローティングアイテム１２７０が表示され得る。このような参照番号１２６０及び参照番号１２７０のフローティングアイテムは、ユーザーインタラクションの移動により位置する領域に対応して適応的に切り替わって表示され得る。
【０１００】
そして、トレイアイテム１２５０のフローティングアイテムが参照番号１２６０のように表示された状態で、ユーザーが入力されたインタラクションをリリースする際に、当該領域においてはいかなるコンタクト情報の入力も発生されない。これに対し、トレイアイテム１２５０のフローティングアイテムが参照番号１２７０のように表示された状態で、ユーザーが入力されたインタラクションをリリースする際に、当該領域においては、上述したように、取り出されたコンタクト情報が入力されて表示され得る。
【０１０１】
図１３は、本発明の実施形態に係るタッチデバイスにおいてイベント発生をアラームし、これをコンタクトトレイを介して追跡して提供する動作例を示す図である。
【０１０２】
前記図１３を参照すると、参照番号１３０１はコンタクトトレイ４００が活性化される前の状態を示すものであり、参照番号１３０３はコンタクトトレイ４００が活性化された状態を示すものである。そして、前記図１３においては、参照番号１３０１のようにコンタクトトレイ４００が活性化される前の状態で、コンタクトトレイ４００に存在するトレイアイテムのうち特定のトレイアイテムに対応する特定のコンタクト（ユーザー）からイベント（例えば、メール受信、メッセージ受信、ＳＮＳによるデータ登録などの通信イベント）が発生される場合を想定する。
【０１０３】
次に、上記のようにトレイアイテムに対応する特定のコンタクトから通信イベントが発生する際に、参照番号１３０１にて示すように、トレイインジケーター領域２５０を介して通信イベント発生を知らせるアラームを発生することができる。例えば、トレイインジケーター領域２５０をちらつかせたり、カラーを変更したり、ハイライト処理するなどのアラームを視覚的に表示することができる。このとき、通信イベントの発生時に振動及びサウンドのうち少なくとも一つと組み合わせてアラームを発生することもできる。
【０１０４】
次に、ユーザーは、前記参照番号１３０１のように通信イベントによるアラームを発生する状態で前記トレイインジケーター領域２５０に設定されたユーザーインタラクションを入力することができる。例えば、ユーザーは、コンタクトトレイ４００の呼び出しのためにトレイインジケーター領域２５０に呼び出しインタラクションを入力することができる。本発明の実施形態において、前記呼び出しインタラクションは、トレイインジケーター領域２５０をタップするタップインタラクション、トレイインジケーター領域２５０のタッチ後に下方に移動するスイープインタラクション及びフリックインタラクションなどを含み、ユーザーは、いずれか一つの設定されたインタラクションを入力することができる。
【０１０５】
すると、制御部１４０は、参照番号１３０１のような状態でトレイインジケーター領域２５０に呼び出しインタラクションを感知すると、参照番号１３０３にて示すように、コンタクトトレイ４００を実行画面上のある領域に表示する。このとき、制御部１４０は、前記通信イベントの発生に対応するトレイアイテムを追跡することができる。例えば、制御部１４０は、通信イベントによるコンタクト情報に基づいて当該トレイアイテムを追跡することができる。
【０１０６】
そして、制御部１４０は、追跡されたトレイアイテムに他のトレイアイテムと区別されるビジュアルエフェクトを与えて表示することができる。例えば、制御部１４０は、参照番号１３５０にて示すように、通信イベントに対応するトレイアイテムをちらつかせたり、カラーを変更したり、ハイライト処理したりするなどのエフェクトを与えて表示することができる。
【０１０７】
一方、前記通信イベントに対応して追跡されたトレイアイテムが現在画面上に表示されたコンタクトトレイ４００内に存在しないこともある。この場合、当該トレイアイテムを表示するためには、スクロールが必要である。したがって、本発明の実施形態においては、ユーザー便宜及び通信イベントに対応するトレイアイテム追跡の直観性を考慮して、通信イベントの発生により追跡されたトレイアイテムに対してスクロールが必要な場合に、当該トレイアイテムの位置まで自動的にスクロールが行われ得る。そして、スクロールにより追跡されたトレイアイテムが表示されるときに、当該トレイアイテムに上述したようにエフェクトが与えられてコンタクトトレイ４００に提供され得る。
【０１０８】
一方、以上においてはその図示及び説明は省略したが、本発明において提供されるコンタクトトレイ４００は全ての実行画面の上にオーバーレイ表示され得る。すなわち、最上位レイヤーに表示され得る。但し、本発明によれば、前記コンタクトトレイ４００は自分よりも優先する実行画面が表示されるときに、当該実行画面レイヤーの下位に表示され得る。例えば、第１実行画面（例えば、メール作成実行画面）が表示され、前記第１実行画面の上位にコンタクトトレイ４００が表示された状態を想定する。このとき、ユーザーがメール作成によるテキスト入力のために仮想のキーパッドを呼び出す際に、前記仮想のキーパッドによる第２実行画面（キーパッド実行画面）がコンタクトトレイ４００よりも上位に表示され得る。この場合、表示部１２０のレイヤー構成をみると、最下端に第１実行画面が配置され、途中にコンタクトトレイ４００が配置され、最上端に第２実行画面が配置される構造であってもよい。これは、ユーザーのテキスト入力の便宜性を提供するために考慮され得る。このため、仮に、コンタクトトレイ４００を常に最上端に表示する場合、前記仮想のキーパッドのような実行画面はコンタクトトレイ４００を侵入しない範囲で提供され得る。例えば、仮想のキーパッド幅の境界をコンタクトトレイ４００と隣り合う境界にして表示することができる。
【０１０９】
図１４は、本発明の実施形態に係るタッチデバイスにおいて、コンタクト情報と紐付けられたトレイアイテムを用いたアプリケーション運用方法を示すフローチャートである。
【０１１０】
前記図１４を参照すると、制御部１４０は、特定のモード遂行による実行画面を表示することができる（ステップ１４０１）。例えば、制御部１４０は、待ち受けモードの運用による待ち受け画面、特定のアプリケーション運用によるアプリケーション実行画面などを表示部１２０を介して表示することができる。
【０１１１】
次に、制御部１４０は、実行画面の提供中にコンタクトトレイ４００を呼び出す呼び出しインタラクション入力を感知することができる（ステップ１４０３）。例えば、ユーザーがトレイインジケーター領域２５０にタップインタラクションを入力すると、表示部１２０は、前記タップインタラクションに対する入力信号を生成して制御部１４０に受け渡し、制御部１４０は、前記入力信号を受信することにより、コンタクトトレイ４００の呼び出しを認知することができる。
【０１１２】
次に、制御部１４０は、トレイインジケーター領域２５０に呼び出しインタラクションが入力されると、上述したように、コンタクトトレイ４００を前記実行画面上のある領域に表示する（ステップ１４０５）。このとき、制御部１４０は、前記コンタクトトレイ４００の提供時に通信イベントの発生有無をチェックし、それに対応して、図１３を参照した説明したように、当該トレイアイテムに対するエフェクト付与または当該トレイアイテムの位置まで自動的にスクロール後にエフェクト付与などの動作を制御することができる。
【０１１３】
次に、制御部１４０は、コンタクトトレイ４００または実行画面の上においてインタラクション入力を感知することができる（ステップ１４０７）。例えば、既に図５乃至図１２を参照して説明したように、コンタクトトレイ４００内においてトレイアイテムのスクロール制御のためのインタラクション、実行画面から始まってコンタクトトレイ４００に移動されるインタラクションまたはコンタクトトレイ４００から始まって実行画面に移動されるインタラクションなどの入力を感知することができる。
【０１１４】
次に、制御部１４０は、インタラクション入力を感知すると、当該インタラクションの種類を判断することができる（ステップ１４０９、ステップ１４１１）。例えば、制御部１４０は、インタラクション入力が、コンタクトトレイ４００のトレイアイテムと実行画面のコンテンツとが紐付けられたアプリケーション運用のためのインタラクション入力であるかを分析することができる。そして、アプリケーション運用のためのインタラクションであれば、当該インタラクションが、実行画面から始まってコンタクトトレイ４００の特定のトレイアイテムに移動するインタラクションであるか（ステップ１４０９）、またはコンタクトトレイ４００の特定のトレイアイテムから始まって実行画面の特定の領域に移動するインタラクションであるか（ステップ１４１１）を判断することができる。
【０１１５】
次に、制御部１４０は、インタラクション入力がアプリケーション運用のためのインタラクション入力ではなければ（ステップ１４０９におけるＮＯ、ステップ１４１１におけるＮＯ）、当該動作の遂行を制御することができる（ステップ１４１３）。例えば、制御部１４０は、既に図５を参照して説明したように、インタラクション入力に対応してコンタクトトレイ４００の第２アイテム領域４５０にあるトレイアイテムのスクロールを制御することができる。または、制御部１４０は、既に図６を参照して説明したように、インタラクション入力に対応してコンタクトトレイ４００内において選択されるトレイアイテムに対するポップアップウィンドウ５００の出力を制御することができる。
【０１１６】
次に、制御部１４０は、インタラクション入力が、アプリケーション運用のためのインタラクションのうち実行画面から始まってコンタクトトレイ４００の特定のトレイアイテムに移動するインタラクションであれば（ステップ１４０９におけるＹＥＳ）、インタラクションに対応して選択された実行画面のコンテンツとインタラクションが移動されて位置するトレイアイテムのコンタクト情報との紐付けによってアプリケーション運用及びそれによる実行画面構成を制御することができる（ステップ１４１５）。以下、この動作の詳細については、図１５を参照して説明する。
【０１１７】
次に、制御部１４０は、インタラクション入力が、アプリケーション運用のためのインタラクションのうちコンタクトトレイ４００の特定のトレイアイテムから始まって実行画面の特定の領域に移動するインタラクションであれば（ステップ１４１１におけるＹＥＳ）、インタラクションに対応して選択されたトレイアイテムのコンタクト情報に基づいてアプリケーション運用及びそれによる実行画面構成を制御することができる（ステップ１４１７）。 以下、この動作の詳細については、図１６を参照して説明する。
【０１１８】
図１５は、前記図１４に示すトレイアイテムのコンタクト情報基盤のアプリケーション運用方法を示すフローチャートである。特に、図１５は、図１４に示すステップ１４１５の詳細動作を示すものである。
【０１１９】
前記図１５を参照すると、制御部１４０は、上述したように、実行画面から始まってコンタクトトレイ４００の特定のトレイアイテムに移動するインタラクションが入力されると（ステップ１５０１）、アプリケーション実行方式をチェックすることができる（ステップ１５０３）。例えば、制御部１４０は、ステップ１５０１のようなインタラクション入力に対応して実行されるアプリケーションが設定されているか否かを判断することができる（ステップ１５０５）。
【０１２０】
次に、制御部１４０は、設定されたアプリケーションがあれば（ステップ１５０５におけるＹＥＳ）、設定されたアプリケーションを実行する（ステップ１５０７）。そして、制御部１４０は、前記アプリケーションの実行に際して、上述したように、トレイアイテムに対応するコンタクト情報とコンテンツ（または、コンテンツに対応する情報）を取り出し、これらの組み合わせを決定することができる（ステップ１５０９）。
【０１２１】
次に、制御部１４０は、決定された組み合わせにより実行アプリケーションによる実行画面を構成して表示することができる（ステップ１５１１）。例えば、制御部１４０は、既に図８乃至図１０を参照して説明したように、トレイアイテムのコンタクト情報に基づいてあて先を自動的に設定し、コンテンツ（または、コンテンツに対応する情報）に基づいて内容構成を自動的に設定して表示することができる。
【０１２２】
次に、制御部１４０は、実行アプリケーションの実行画面を構成した後、要請動作の遂行を制御することができる（ステップ１５１３）。例えば、制御部１４０は、トレイアイテムのコンタクト情報基盤のあて先とし、前記コンテンツ（または、コンテンツに対応する情報）を内容として含めて前記アプリケーションによる機能遂行を制御することができる。例えば、前記実行されるアプリケーションによりメール発信、メッセージ発信、フェースブック登録、ツイーター登録などの動作を行うことができる。
【０１２３】
次に、制御部１４０は、設定されたアプリケーションがなければ（ステップ１５０５におけるＮＯ）、実行可能なアプリケーションが登録されたポップアップウィンドウ７００を出力することができる（ステップ１５１５）。例えば、制御部１４０は、既に図７を参照して説明したように、実行可能な多数のアプリケーションが登録されたポップアップウィンドウ７００をポップアップ表示することができる。
【０１２４】
次に、制御部１４０は、前記ポップアップウィンドウ７００において特定のアプリケーションを選択するインタラクション入力を感知することができる（ステップ１５１７）。すると、制御部１４０は、選択されたアプリケーションを実行する（ステップ１５１９）。そして、制御部１４０は、前記ステップ１５０９に移行して、上述した前記ステップ１５０９以下の動作を制御することができる。
【０１２５】
図１６は、前記図１４に示すトレイアイテムのコンタクト情報基盤のアプリケーション運用方法を示すフローチャートである。特に、図１６は、図１４に示すステップ１４１７の詳細動作を示すものである。
【０１２６】
前記図１６を参照すると、制御部１４０は、上述したように、コンタクトトレイ４００の特定のトレイアイテムから始まって実行画面の特定の領域に移動するインタラクションが入力されると（ステップ１６０１）、前記インタラクションが位置する領域がコンタクト情報基盤の入力が可能な領域であるか否かを判断する（ステップ１６０３）。
【０１２７】
次に、制御部１４０は、前記インタラクションが位置する領域がコンタクト情報基盤の入力が不可能な領域である場合（ステップ１６０３におけるＮＯ）に、前記トレイアイテムに対応するフローティングアイテムを、既に図１２を参照して説明したように、コンタクト情報入力不可を指示するフローティングアイテムとして表示する（ステップ１６０５）。そして、制御部１４０は、当該動作の遂行を制御することができる（ステップ１６０７）。例えば、制御部１４０は、既に図１２を参照して説明したように、インタラクションがコンタクト情報基盤の入力が可能な領域への移動に対応して、前記フローティングアイテムをコンタクト情報の入力可能を指示するフローティングアイテムに切り替えて表示することができる。なお、制御部１４０は、ステップ１６０９に移行してステップ１６０９以下の動作を制御することができる。
【０１２８】
次に、制御部１４０は、前記インタラクションが位置する領域がコンタクト情報基盤の入力が可能な領域である場合に（ステップ１６０３におけるＹＥＳ）、前記トレイアイテムに対応するコンタクト情報を取り出すことができる（ステップ１６０９）。そして、制御部１４０は、前記インタラクションが入力された領域のタイプを分析することができる（ステップ１６１１）。例えば、制御部１４０は、既に図１１を参照して説明したように、前記インタラクションにより前記トレイアイテムが移動された領域のタイプを分析することができる。本発明の実施形態において、前記ステップ１６０９及び前記ステップ１６１１の前後関係は、必ずしも上記の過程によって行われる限りではなく、ステップ１６１１が先行され、ステップ１６０９が後行されてもよいことはいうまでもない。
【０１２９】
次に、制御部１４０は、前記取り出されたコンタクト情報が表示部に表示された前記領域のタイプに対応して、前記取り出されたコンタクト情報を入力して表示することができる（ステップ１６１３）。例えば、制御部１４０は、既に図１１を参照して説明したように、前記トレイアイテムに対応するコンタクト情報に基づいて実行画面の当該領域を構成して表示することができる。
【０１３０】
次に、制御部１４０は、他のトレイアイテムの移動がさらにあるか否かを判断することができる（ステップ１６１５）。そして、制御部１４０は、他のトレイアイテムのさらなる移動がある場合（ステップ１６１５におけるＹＥＳ）に、上述したステップ１６０３に移行して、ステップ１６０３以下の動作を制御することができる。
【０１３１】
次に、制御部１４０は、実行アプリケーションの実行画面を構成した後、要請動作遂行を制御することができる（ステップ１６１７）。例えば、制御部１４０は、トレイアイテムのコンタクト情報に基づいて構成された実行画面に基づいて、前記アプリケーションによる機能の遂行を制御することができる。例えば、前記実行されるアプリケーションによりメール発信、メッセージ発信、フェースブック登録、ツイーター登録などの動作を行うことができる。
【０１３２】
一方、上述した本発明のコンタクト情報と紐付けられたトレイアイテムを用いたタッチデバイスの機能の遂行方法は様々なコンピュータ手段により行われ得るプログラム命令の形で実現されてコンピュータにて読み取り可能な記録媒体に記録され得る。このとき、前記コンピュータにて読み取り可能な記録媒体は、プログラム命令、データファイル、データ構造などを単独にてまたは組み合わせて含むことができる。一方、記録媒体に記録されるプログラム命令は、本発明のために特別に設計されて構成されたものであってもよく、コンピュータソフトウェア当業者に公知されて使用可能なものであってもよい。
【０１３３】
前記コンピュータにて読み取り可能な記録媒体には、ハードディスク、フロッピー（登録商標）ディスク及び磁気テープなどの磁気媒体（Ｍａｇｎｅｔｉｃ Ｍｅｄｉａ）、ＣＤ−ＲＯＭ（Ｃｏｍｐａｃｔ Ｄｉｓｃ Ｒｅａｄ Ｏｎｌｙ Ｍｅｍｏｒｙ）、ＤＶＤ（Ｄｉｇｉｔａｌ Ｖｅｒｓａｔｉｌｅ Ｄｉｓｃ）などの光記録媒体（Ｏｐｔｉｃａｌ Ｍｅｄｉａ）、フロプティカルディスク（Ｆｌｏｐｔｉｃａｌ Ｄｉｓｋ）などの磁気−光媒体（Ｍａｇｎｅｔｏ−Ｏｐｔｉｃａｌ Ｍｅｄｉａ）、及びＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、フラッシュメモリなどのプログラム命令を格納して行うように特別に構成されたハードウェア装置が含まれる。なお、プログラム命令には、コンパイラーによって作成される機械語コードだけではなく、インタープリータなどを用いてコンピュータにより実行され得る高級言語コードを含む。上述したハードウェア装置は、本発明の動作を行うために１以上のソフトウェアモジュールとして作動するように構成可能であり、その逆も同様である。
【０１３４】
そして、本発明が属する技術分野における当業者は、上述した本発明がその技術的思想や必須的特徴を変更することなく他の具体的な形態にて実施できるということが理解できるであろう。よって、上述した実施形態はあらゆる面において例示的なものであり、限定的なものではないと理解さるべきである。そして、本発明の範囲は前記詳細な説明よりは、後述する特許請求の範囲によって開示され、特許請求の範囲の意味及び範囲、そして、その等価概念から導き出されるあらゆる変更または変形された形態が本発明の範囲に含まれるもの解釈さるべきである。
【０１３５】
一方、本明細書と図面に示された本発明の実施形態は本発明の技術内容を容易に説明し、本発明の理解に一助となるために特定の例を提示したものに過ぎず、本発明の範囲を限定するためのものではない。ここに開示された実施形態の他にも、本発明の技術的思想に基づく他の変形例が実施可能であるということは本発明が属する技術分野において通常の知識を持った者にとって自明である。
【符号の説明】
【０１３６】
１１０：通信モジュール
１２０：表示部
１３０：格納部
１４０：制御部
２００：状態情報領域
３００：実行画面領域
２３０：デバイスインジケーター領域
２５０：トレイインジケーター領域
４００：コンタクトトレイ
４３０：第１アイテム領域
４５０：第２アイテム領域
４７０：第３アイテム領域
５００、７００：ポップアップウィンドウ
７５０、８５０、９５０、１０５０、１１６０、１１７０、１１８０、１２５０：トレイアイテム
【図１】
2013515996.tif 000003
【図２】
2013515996.tif 000004
【図３】
2013515996.tif 000005
【図４】
2013515996.tif 000006
【図５】
2013515996.tif 000007
【図６】
2013515996.tif 000008
【図７】
2013515996.tif 000009
【図８】
2013515996.tif 000010
【図９】
2013515996.tif 000011
【図１０】
2013515996.tif 000012
【図１１】
2013515996.tif 000013
【図１２】
2013515996.tif 000014
【図１３】
2013515996.tif 000015
【図１４】
2013515996.tif 000016
【図１５】
2013515996.tif 000017
【図１６】
2013515996.tif 000018
【国際調査報告】
2013515996.tif 000019
2013515996.tif 000020